(57)【要約】本発明は、出口開口部（２０）に、第１の下方のスナップ位置から第２の上方のスナップ位置へと曲げることができ、その逆も可能である、内向きの周方向のスナップ式のリム（２２）が設けられているろ過カートリッジ（１）、特に吸込みろ過カートリッジに関する。本発明は、また、このろ過カートリッジ（１）の出口開口部（２０）に係合する接続スリーブ（３３）を有する、このようなろ過カートリッジのための座部部材（３３）に関する。この接続スリーブ（３３）は、少なくとも１つのアクチュエータを有し、このアクチュエータは、ろ過カートリッジ（１）がリムに位置した場合に、スナップ式のリムを第１の下方のスナップ位置から第２の上方のスナップ位置に動かす。この第２の上方のスナップ位置では、スナップ式のリムは、接続スリーブに接して封止しクランプするように載る。
2008515628.tif 000002
【特許請求の範囲】
【請求項１】
上部部分で互いに接続されている、少なくとも１つの上昇流チャンバ（３ａ）と少なくとも１つの下降流チャンバ（２ａ）とを備えているろ過手段と、上流の入口開口部（１４）の下流の少なくとも１つの入口領域（１０）と、出口開口部（２０）とを具備し、前記入口領域と出口開口部とは、底部領域に配置されている、ろ過カートリッジ（１）、特に吸込みろ過フィルタにおいて、周囲を延び内側に向いているスナップ式のリム（２２）が前記出口開口部（２０）に設けられ、このスナップ式のリムを、第１の下方のスナップ位置から第２の上方のスナップ位置へと転じることができることを特徴とするろ過カートリッジ（１）。
【請求項２】
前記出口開口部（２０）には、下端で接続されている前記スナップ式のリム（２２）を有する出口スリーブ（２１）が設けられていることを特徴する請求項１に係るろ過カートリッジ（１）。
【請求項３】
前記スナップ式のリム（２２）は、フィルムリンク（２３）を介して接続されていることを特徴とする請求項１又は２に係るろ過カートリッジ（１）。
【請求項４】
前記スナップ式のリム（２２）は、径方向内向きに延びている平坦な端部ストリップであることを特徴とする請求項１乃至３のいずれか１に係るろ過カートリッジ（１）。
【請求項５】
前記出口スリーブ（２１）は、外部で円形のスタビライザ（５０）により囲まれていることを特徴とする請求項２乃至４のいずれか１に係るろ過カートリッジ。
【請求項６】
前記円形のスタビライザ（５０）には、前記出口開口部（２０）内に突出している角度が付けられたカラー（５２）が設けられ、前記スナップ式のリム（２２）は、このカラーに前記第１の下方のスナップ位置で接触することを特徴とする請求項５に係るろ過カートリッジ（１）。
【請求項７】
前記入口領域（１０）は、前記出口スリーブ（２１）を円形に囲んでいることを特徴とする請求項２乃至６のいずれか１に係るろ過カートリッジ（１）。
【請求項８】
前記円形のスタビライザ（５０）は、前記出口スリーブ（２１）に回転するように配置されていることを特徴とする請求項５乃至７のいずれか１に係るろ過カートリッジ（１）。
【請求項９】
前記出口スリーブ（２１）には、少なくとも１つの第１の開口部（２５）が設けられていることを特徴とする請求項２乃至８のいずれか１に係るろ過カートリッジ（１）。
【請求項１０】
前記円形のスタビライザ（５０）には、前記出口スリーブ（２１）に接触する円筒状部分（５１）が設けられ、この円筒状部分に閉鎖部材が設けられ、又はこの円筒状部分に前記第１の開口部に整列させることができる少なくとも１つの第２の開口部が設けられていることを特徴とする請求項５乃至９のいずれか１に係るろ過カートリッジ（１）。
【請求項１１】
前記円形のスタビライザ（５０）の第２の開口部（５３）は、前記出口スリーブ（２１）の第１の開口部（２５）以上であることを特徴とする請求項９又は１０に係るろ過カートリッジ（１）。
【請求項１２】
前記円形のスタビライザ（５０）は、前記出口スリーブ（２１）に封止するように接触することを特徴とする請求項５乃至１１のいずれか１に係るろ過カートリッジ（１）。
【請求項１３】
少なくとも１つのバイパス開口部（２６）が、前記下降流チャンバ（２ａ）の底面壁（７、２１ａ）に配置されていることを特徴とする請求項１乃至８のいずれか１に係るろ過カートリッジ。
【請求項１４】
起立部（２７）が、前記バイパス開口部（２６）を囲んで前記下降流チャンバ（２ａ）内に配置されていることを特徴とする請求項１３に係るろ過カートリッジ。
【請求項１５】
前記円形のスタビライザ（５０）には、前記底面壁（７、２１ａ）の底部に接触する閉鎖部材（５４）が設けられていることを特徴とする請求項１３又は１４に係るろ過カートリッジ。
【請求項１６】
前記閉鎖部材（５４）は、円弧形状のカラーであることを特徴とする請求項１５に係るろ過カートリッジ。
【請求項１７】
前記下降流チャンバ（２ａ）には、液体が透過することができる中間の床（７ａ）が設けられていることを特徴とする請求項１乃至１６のいずれか１に係るろ過カートリッジ。
【請求項１８】
前記上昇流チャンバ（３ａ）と下降流チャンバ（２ａ）との両方には、少なくとも１つのろ過手段が設けられていることを特徴とする請求項１乃至１７のいずれか１に係るろ過カートリッジ。
【請求項１９】
前記上昇流チャンバ（３ａ）には、流動層（４）が設けられ、前記下降流チャンバ（２ａ）には、充填層（５）が設けられていることを特徴とする請求項１８に係るろ過カートリッジ。
【請求項２０】
ろ材が、前記底面壁（７、２１ａ）と中間の床（７ａ）との間に形成されるチャンバ（６０）内に配置されることを特徴とする請求項１７乃至１９のいずれか１に係るろ過カートリッジ。
【請求項２１】
前記チャンバ（６０）内のろ材は、活性炭フリースであることを特徴とする請求項２０に係るろ過カートリッジ。
【請求項２２】
前記出口スリーブ（２１）並びに／もしくは円形のスタビライザ（５０）には、その周囲を延びている封止用隆起（２４）が設けられていることを特徴とする請求項２乃至２１のいずれか１に係るろ過カートリッジ。
【請求項２３】
前記ろ過カートリッジ（１）の出口開口部（２０）に係合する接続スリーブ（３３）が、このろ過カートリッジ（１）が前記スナップ式のリムがこの接続スリーブ（３３）に封止しクランプするように接触した場合に、前記スナップ式のリム（２２）を第１の下方のスナップ位置から第２の上方のスナップ位置に動かすことを特徴とする少なくとも１つのアクチュエータを有することを特徴とする、請求項１に係るろ過カートリッジ（１）、特に吸込みろ過カートリッジのための座部部材（３０）。
【請求項２４】
前記アクチュエータは、前記接続スリーブ（３３）に形成されている円形の肩部（３５）であることを特徴とする請求項２３に係る座部部材。
【請求項２５】
前記接続スリーブ（３３）は、ベースプレート（３１）に配置されていることを特徴とする請求項２３又は２４に係る座部部材。
【請求項２６】
少なくとも１つのスペーサ（３２ｂ）が、前記ベースプレート（３１）に配置されていることを特徴とする請求項２５に係る座部部材。
【請求項２７】
位置付け部材（３２）が、前記ベースプレート（３１）に配置されていることを特徴とする請求項２５又は２６に係る座部部材。
【発明の詳細な説明】
【技術分野】
【０００１】
本発明は、ろ過カートリッジ、特に請求項１の前提部による吸込みろ過カートリッジに関する。本発明は、また、このようなろ過カートリッジのための座部部材を有している。ろ過カートリッジの入口領域と出口開口部とが、このろ過カートリッジの底部領域に配置され、ろ過カートリッジ(was)は、また、この底部に隣接している下降流チャンバと上昇流チャンバとの下部部分に側面の入口又は出口を有している。
【背景技術】
【０００２】
吸込みろ過カートリッジは、飲料、例えばホットドリンクの、例えばコーヒーメーカなどのような吸込みポンプが設けられている自動販売機の水容器内で用いられる。この吸込みろ過カートリッジの入口及び出口開口部は、これらがなければ完全に閉じられているカートリッジのハウジングの底部領域に位置している。座部部材は、出口開口部に調節されて、装置の水容器内に配置される。出口開口部は、別の構成要素でもよく、水容器に形成されてもよい。この座部部材は、ろ過された水が水容器から出てくることができる出口開口部も有している。この座部部材は、この座部部材内に挿入される吸込みろ過カートリッジを受容する役割を果たす。
【０００３】
水容器の出口開口部が装置の吸込みポンプに接続されるという事実のために、ろ過される水は、この水容器から吸込まれ、カートリッジ内の複数又は単一のろ材を通過し、ろ過された状態で出口開口部に達する。
【０００４】
吸込みろ過カートリッジが装置の水容器内に配置されるという事実のために、水容器が満たされている場合、ろ過カートリッジは、浮上する。浮上を防止し、この結果、ろ過カートリッジが水容器の座部部材の出口開口部から分離することを防止するために、特別な留め手段が設けられている。既知の解決方法によると、吸込みろ過カートリッジは、座部部材にねじ止めされる。この場合、非対称なろ過ハウジングを備えた吸込みろ過カートリッジを、狭い水容器内にねじ止めすることができないことが不都合である。加えて、深く狭い水容器内でカートリッジをねじ止めするために工具が必要とされる。
【０００５】
他の解決方法は、座部部材に位置し、吸込みろ過カートリッジをその位置に固定するために挿入の後クランプ部材上で回転する吸込みろ過カートリッジを提供する。
【０００６】
ＷＯ  ９９／０１２２０から、水入口開口部が底部に配置され、ろ材を通る水のための路が上昇流に設けられている、吸込みろ過カートリッジが既知である。さらに、底部に位置している水容器の抽出コネクタへ水を下方に案内するために下降流路が設けられている。この場合、活性炭とイオン交換体とを有するろ過手段の混合物は、動作中、ろ水タンクのいかなる圧縮にも対抗して、浮上している。
【０００７】
下降流路は、吸込みろ過カートリッジの内部の中央に配置され、この結果、吸込みろ過カートリッジの底部コネクタも中央にあることができる。この場合、入口開口部は、吸込みろ過カートリッジに円形に配置されている。
【０００８】
軸方向の閉鎖部材が、出口通路を入口通路から封止するために必要である。
【０００９】
吸込みろ過カートリッジは、その底部に、座部部材に接続することができる複数の固定部材を有している。加えて、満たされた水容器内で吸込みろ過カートリッジが浮上するのを防止するために、吸込みろ過カートリッジは、水容器の蓋で支持されている。この場合、深い水容器内に吸込みろ過カートリッジを上部で、例えば、ロッドにより、延ばすことが必要となりうる。
【００１０】
このような追加的な固定部材は、しばしば正しく配置されず、この結果、座部部材のしっかりとした座部は保障されない。
【発明の開示】
【発明が解決しようとする課題】
【００１１】
したがって、本発明の目的は、ろ過カートリッジ、特に追加的ないかなる固定部材も必要なく、簡単に挿入することができ、出口開口部の領域で信頼性のある封止を保障する吸込みろ過カートリッジを提供することである。
【課題を解決するための手段】
【００１２】
この目的は、出口開口部に内向きに設けられ、第１の下方のスナップ位置から第２の上方のスナップ位置に反転することができ、この逆も可能であるスナップ式のリムが設けられている、ろ過カートリッジで達成される。
【００１３】
対応する座部部材は、前記ろ過カートリッジの出口開口部に係合し、前記ろ過カートリッジに位置した場合、前記スナップ式のリムを前記第１の下方のスナップ位置から前記第２の上方のスナップ位置に動かし、前記スナップ式のリムが封止しクランプするように接触する少なくとも１つのアクチュエータを有する接続スリーブにより特徴付けられる。
【００１４】
前記アクチュエータは、前記接続スリーブに配置されている円形の肩部であることが好ましい。
【００１５】
前記スナップ式のリムが前記下方のスナップ位置を取っている前記ろ過カートリッジは、前記座部部材に上部から位置され、このスナップ式のリムが上方に転じるまで下方に押圧され、この結果、この座部部材の接続スリーブに係合する。この座部部材は、反転するスナップ式のリムで前記ろ過カートリッジが、前記接続スリーブに封止するように接触し固定されるように、このスナップ式のリムに調整されている。この反転は、操作者に、前記ろ過カートリッジがその所定の封止位置を取ったことを伝える。この結果、操作者による誤った位置付けが防止される。
【００１６】
前記ろ過カートリッジを取外すためには、このろ過カートリッジは、上方に引き出される。これにより、前記スナップ式のリムはその下方のスナップ位置に転じる。
【００１７】
前記出口開口部には、出口スリーブが設けられ、スナップ式のリムがこの出口スリーブの下方端に接続されていることが好ましい。このスナップ式のリムは、フィルムリンクを介して接続されてもよい。
【００１８】
前記スナップ式のリムが、径方向内向きに延びている平坦な端部ストリップであることは好ましい。  
前記端部ストリップが、リングとして実現されていることは好ましい。
【００１９】
前記スナップ式のリムは、２つの安定位置、すなわち、下方の位置と上方の位置とで安定する。このスナップ式のリムの中間の位置は、不安定な位置であり、この位置からその張力に基づいてこのスナップ式のリムは、いずれかの位置に転じる。このスナップ式のリムが弾性プラスチックからなることは、好都合である。
【００２０】
前記スナップ式のリムの反転の過程により、径方向の力が前記出口スリーブに作用し、前記第２の上方のスナップ位置での広がりと、場合によっては、クランプ力の減少とがもたらされる。したがって、前記出口スリーブが円形のスタビライザにより囲まれていることは好都合である。
【００２１】
この円形のスタビライザには、前記出口開口部内に突出し、前記スナップ式のリムが前記第１の下方のスナップ位置で接触する、角度が付けられたカラーが設けられていることが好都合である。このことにより、前記スナップ式のリムのとっての規定された初期位置が保障される。
【００２２】
前記円形のスタビライザが前記出口スリーブに回転するように配置されていることは、好ましい。この円形のスタビライザを回転させると、前記入口領域を前記出口開口部に接続する、断面積が調節可能なバイパスを提供することが可能になる。
【００２３】
この調節可能なバイパスは、生水の全体が前記入口開口部から前記出口開口部に直接流入しないように、サイズが取られていることが好ましい。このバイパスが、生水のわずか５０％を前記出口開口部にそらすことができるようにデザインさせていることは好ましい。
【００２４】
特に、このことは、前記ろ過カートリッジの入口領域が、円形に前記出口スリーブを囲んでいる場合に可能である。
【００２５】
第１の変形例によると、前記出口スリーブには、少なくとも１つの第１の開口部が設けられている。前記円形のスタビライザには、前記出口スリーブと接触している円筒状部分が設けられており、この部分に閉鎖部材が設けられ、又はこの部分に前記第１の開口部に整列させることができる少なくとも１つの第２の開口部が設けられていることが好ましい。この場合、組合された前記第１及び第２の開口部は、バイパス開口部を形成する。
【００２６】
前記円形のスタビライザを回転させることにより、前記出口スリーブの第１の開口部の断面積を、追加された量の未処理の生水を、制御された方法で調節して、前記ろ過カートリッジ内のろ過手段により処理された水に加えることができるように、調整することができる。このようなバイパスを用いて、前記ろ過カートリッジの性能を、香りのために最良で、飲料の自動販売機のために最良の水を提供できるような水質に調節することができる。飲料の自動販売機の位置で見出される水質と、選ばれたコーヒーブランドとによっては、完全に脱炭素処理された(entkarbonisiertes)水は、香りの発生のために最適ではないかもしれず、機械部品が損傷受けることさえあるかもしれない。脱炭素処理が調整されていない場合、最悪の場合には、金属の構成部品の腐食が生じうる。この場合、結果は、高いメインテナンスと修理とのコストである。
【００２７】
加えて、一体化されたバイパスにより、前記ろ過カートリッジの容量が増加する。水質に基づいて比較的低い性能が必要である場合、それは調整可能であり、前記ろ過カートリッジは、比較的長い期間にわたって同じレベルにソフト化する(enthaertet)。
【００２８】
前記円形のスタビライザの第２の開口部は、前記出口スリーブの第１の開口部以上であることが好ましい。
【００２９】
前記円形のスタビライザは、前記出口スリーブに封止するように接触することが好ましい。このことにより、閉じられた第１の開口部で(bei)、生水が、特に前記円形のスタビライザと出口スリーブとの間のこの円形のスタビライザの第２の開口部を介して前記出口開口部に意図せずに入ることが防止される。
【００３０】
第２の変形例は、前記下降流チャンバの底面壁の少なくとも１つのバイパス開口部を提供する。このバイパス開口部が、前記円形のスタビライザに配置されている閉鎖部材により閉じられ、このバイパス開口部を通って流れる生水の量を、この円形のスタビライザを回転させることにより調節することができることは好ましい。
【００３１】
前記閉鎖部材は、円形のスタビライザに配置されている円弧形状のカラーであってもよく、前記下降流チャンバの底面壁に封止するように接触していることは好ましい。
【００３２】
閉鎖部材の代わりに、上記第１の変形例に類似して、前記カラーには、前記下降流チャンバの底面壁の開口部に整列させることができる１つ以上の第２の開口部が設けられていてもよい。
【００３３】
上記第１の変形例と違って、生水は、前記出口スリーブに直接到達せず、むしろ前記下降流チャンバの内部に案内され、この結果、この生水もろ過されることができる。
【００３４】
どれだけの生水が前記下降流チャンバの内部空間(Innenraum)内に案内されるのかを、バイパス開口部を囲んでいる起立部の長さにより規定することができる。したがって、前記下降流チャンバの下部部分は、既にろ過された水と前記バイパス開口部を介して導入された生水とにより一緒に(gemeinsam)用いられる。
【００３５】
この一緒に用いられる領域には、バイパス水(Bypasswasser)を脱塩素化するための活性炭の層(Schuettung)が設けられてもよい。層の素材のタイプと形式とによって、例えばフリースを有する分離層が前記層に設けられてもよい。場合によっては、この分離層上に(darueber)配置され、例えばイオン交換体から形成されているろ過手段とのいかなる混合も防止するためである。
【００３６】
前記下降流チャンバの内部のこの一緒に用いられる領域は、また、液体を通過させることができない中間の床により分離されていてもよい。底部とこの中間の床との間に形成されているチャンバ内には、ろ材、特に活性炭フリースが配置されてもよい。
【００３７】
前記下降流チャンバと上方流チャンバとの両方には、少なくとも１つのろ過手段が設けられていてもよい。前記上昇流チャンバに流動層が設けられ、前記下降流チャンバに充填層が設けられていることが好都合であることが示された。両方のろ過チャンバにろ過手段が備えられていることの有利な点は、前記吸込みろ過カートリッジの高さ全体にわたって延びる従来技術の複数の下降並びに／もしくは上昇パイプ(Fall- bzw. Steigrohre)を省くことができるという事実にある。前記上昇流チャンバ内の流動層は、わずかな圧力損失しか引き起こさない。
【００３８】
前記出口スリーブ並びに／もしくは円形のスタビライザが、好ましくは、前記第１の開口部の下方に設けられ、少なくとも１つの封止用隆起がどんな意図しないバイパスも防止されるように周囲に延びていることは好ましい。
【００３９】
簡単な実施形態では、前記座部部材には、接続スリーブが配置されているベースプレートが設けられていてもよい。
【００４０】
生水が前記ろ過カートリッジ内に流入させるために、又は流入を容易にするために、少なくとも１つのスペーサが前記ベースプレートに配置されている。前記ろ過カートリッジを挿入する場合、このろ過カートリッジは、前記スペーサに載る。
【００４１】
さらに、前記ろ過カートリッジを前記座部部材に挿入することを容易にするために、少なくとも１つの位置付け部材が前記ベースプレートに設けられていてもよい。
【００４２】
以下では、本発明の例示的な実施形態が図面を用いてより詳細に説明されている。吸込みろ過カートリッジが、本発明によるろ過カートリッジの例として説明される。
【発明を実施するための最良の形態】
【００４３】
図１には、吸込みろ過カートリッジが側面図で示されている。この吸込みろ過カートリッジ１は、下降流(Abstroem)チャンバ２ａを備えた中央のハウジング部分２と、このハウジング部分２に横から取り付けられているハウジング部分３とを有している。これらハウジング部分２、３のずらされた配置は、水容器の狭い幅で、上昇流及び下降流チャンバを大きな容積で実現できるという目的を果たす。
【００４４】
吸込みろ過カートリッジ１は、前記水容器（図示されていない）の出口開口部で又はこの出口開口部内に位置している座部部材３０に支持されている。吸込みポンプ（これも図示されていない）は、前記出口開口部に接続される。動作中、水は、前記水容器から吸込みろ過カートリッジ１に吸込まれ、この出口開口部を介して取り除かれる。座部部材３０は、前記水容器の一体的な構成要素であってもよい。この座部部材３０は、位置付け部材３２が環状に配置され以下で詳細に説明されるベースプレート３１を有している。
【００４５】
図２ａ、図２ｂは、座部部材３０が取り付けられた吸込みろ過カートリッジ１に沿った垂直な断面を示している。中央のハウジング部分２の中には、ろ材から形成された充填層で満たすことができる下降流チャンバ２ａがある。上昇流(aufstroem)チャンバ３ａは、ろ材から形成された流動層(Wirbelbett)を有することができる底面壁３ｂを備えた、取り付けられているハウジング部分３内に位置している。この上昇流チャンバ３ａは、下降流チャンバ２ａから垂直に配置された分離壁６により分離されている。ここで図示されている実施形態では、分離壁６は、下降流挿入体９の周囲の壁の構成要素である。この下降流挿入体９には、追加して中心に配置された床グリッド８を備えた底面壁７が設けられている。両方のチャンバ２ａ、３ａは、吸込みろ過カートリッジ１の上方領域に配置されている接続チャンバ４を介して接続開口部５に接続されている。
【００４６】
入口領域１０が、円形の通路１２として形成されている、吸込みろ過カートリッジ１の下部部分に配置されている。この円形の通路１２は、中央の、及び取り付けられたハウジング２、３から下向きに突出している円形の壁１１と、下降流チャンバ２ａの出口開口部２０を囲んでいる出口スリーブとにより形成されている。この円形の通路１２は、底面壁３ｂのグリッド１３を介して上昇流チャンバ３ａ内に流入している(muendet)。このグリッド１３には、入口開口部１４が設けられている。
【００４７】
出口スリーブ２１には、入口領域１０並びに／もしくは円形の通路１２を出口開口部２０と接続する第１の開口部２５が設けられている。これは、出口スリーブ２１の周囲部分に渡って分布して配置されているスロット形状の複数の開口部２５を呈する。出口スリーブ２１の下方端には、閉じた円形のスナップ方式のリム２２が、出口開口部２０の中へと径方向内向きに突出しているフィルムリンク２３を介して接合されている。出口スリーブ２１の外部壁には、円筒状部分５１と、内側に向かった角度で傾斜しているカラー５２とを有している円形のスタビライザ５０が配置されている。円筒状部分５１には、複数の第２の開口部５３が配置されている（図４も見よ）。これら第２の開口部５３を、円形のスタビライザ５０を第１の開口部２５に対して回転させることにより整列させることができる。第１及び第２の開口部２５、５３は、共に、バイパス開口部を形成している。
【００４８】
座部部材３０には、その出口開口部３７を囲んでいる接続スリーブ３３が設けられ、この接続スリーブ３３は、下部部分３３ａと直径が小さい部分３３ｂとを有している。傾斜して上方を向いている円形の肩部３５が、これら２つの部分３３ａ、３３ｂの間に配置され、スナップ式のリム２２のためのアクチュエータを形成している。複数のバー３４が、上方の部分３３ｂで出口開口部３７を横断している。
【００４９】
吸込みろ過カートリッジ１を座部部材３０に位置させる場合、スナップ式のリム２２が、円形の肩部３５により把持され、第２のスナップ位置へと上方に転じる。この第２のスナップ位置では、このスナップ式のリム２２は、接続スリーブ３３の部分３３ｂに封止しクランプするように接触し、この結果、吸込みろ過カートリッジ１を固定する。所望のクランプ力が生じるために、部分３３ｂの外径は、第２のスナップ位置では、スナップ式のリム２２の内径よりもわずかに大きい。追加的な閉鎖部材は、必要ない。
【００５０】
前記水容器が満たされ、並びに／もしくは吸込みポンプのスイッチが切られている場合、吸込みろ過カートリッジは、浮上できない(aufschwimmen)。したがって、吸込みろ過カートリッジ１のための追加的な固定又は留め手段は、必要ない。
【００５１】
座部部材３０には、複数の位置付け部材３２が設けられ、これら位置付け部材は、高く延びているセンタリング部材３２ａとスペーサ３２ｂとを有している。吸込みろ過カートリッジ１の円形の壁１１は、ベースプレート３１と円形の壁１１との間の中間のスペースを介して、生水が吸込みろ過カートリッジ内に流れ込むことができるように、前記複数のスペーサで支持されている。この結果、複数の入口通路３６が、位置付け部材３２の間に形成されている（図２ｂを見よ）。
【００５２】
図３では、吸込みろ過カートリッジ１は、スナップ式のリム２２が円形のスタビライザ５０のカラー５２に支持されるその下方のスナップ位置を取って示されている。円形のスタビライザ５０と出口スリーブ２１との間の隙間を封止するために、この円形のスタビライザ５０には、円筒状部分５１に取り囲む封止用隆起２４が設けられている。
【００５３】
図４には、吸込みろ過カートリッジ１の下部部分が、拡大されて斜視図で示されている。回転する円形のスタビライザ５０には、複数の第１の開口部２５に対向して位置する複数の第２の開口部５３が設けられている。この円形のスタビライザ５０を回転させることにより、これら第２の開口部５３を第１の開口部２５と整列させることができる。これら開口部２５、５３の重なりのレベルに応じて、より多くの又はより少ない生水を入口領域１０から出口開口部２０に直接案内することができる。
【００５４】
座部部材３０が図５では斜視図で示されている。接続スリーブ３３が複数の位置付け部材３２の環により囲まれていることが認められる。
【００５５】
図６は、前記バイパス開口部に関する他の例示的な実施形態による吸込みろ過カートリッジ１の下部部分を示している。上述の実施形態と違い、この場合は、好ましくは底面壁２１ａの複数の穴として実現される、少なくとも１つのバイパス開口部２６が、出口スリーブ２１を円形の壁１１と接続している。この底面壁２１ａは、図２ａ、図２ｂ、図３及び図４にも、下降流挿入物９の底面壁７がこの底面壁２１ａに載せられて示されている。図６に示されている実施形態では、底面壁７は、底面壁２１ａが底部で下降流チャンバ２ａを閉鎖するように省かれている。複数のバイパス開口部２６（図６では１つだけのバイパス開口部２６が示されている）を介して円形の通路１２内に流入する生水は、出口開口部３７内に直接案内されず、液体が浸透できる中間の床７ａが底面壁２１ａから離間して設けられている下降流チャンバ２ａの内部に案内される。中間の床７ａの浸透性は、中心領域７’に限定されている。この中間の床７ａにより、他のチャンバ６０が、下降流チャンバ２ａの下部部分に分離されている。このチャンバ６０の内部では、複数の起立部２７がバイパス開口部２６を迂回して配置されている。生水は、これら起立部２７を介して上向きにガイドされ、中間の床７ａの浸透させることができない円形の領域７’’により偏向される。チャンバ６０内には、複数の針１５により保持されるろ材、例えばフリースが、配置されてもよい。
【００５６】
バイパス開口部２６を閉鎖し並びに／もしくは開放するために、円形のスタビライザ５０には、上端にこの円形のスタビライザ５０に形成されている閉鎖部材５４が設けられている。意図しないバイパスを防止するために、この閉鎖部材５４は、図７に認められるように円弧形状のカラーを有している。円形のスタビライザ５０を回転させることにより、バイパス開口部２６を開放し、又は閉鎖することができる。
【００５７】
図７には、吸込みろ過カートリッジ１の出口開口部２０の底面斜視図が示されている。カラー５２には、操作者に円形のスタビライザ５０の現在位置を示す複数のマーキング５５が設けられている。操作者は、この円状のスタビライザ５０をひだ（コルゲーション）を介して回転させることができ、この結果、この操作者は、出口開口部２０内に偏向される液体の所望の量を調整することができる。加えて、閉鎖部材５４が、円形のスタビライザ５０の円弧形状のカラーとして示されている。
【図面の簡単な説明】
【００５８】
【図１】取付けられた座部部材を有している吸込みろ過カートリッジの斜視図である。
【図２ａ】取付けられた座部部材を備えたろ過カートリッジを示す、図１に沿った垂直断面図である。
【図２ｂ】図２ａに示されている吸込みろ過カートリッジの出口領域の拡大図である。
【図３】座部部材を備えていない、図１、図２ａ及び図２ｂに示されている吸込みろ過カートリッジに沿った垂直断面図である。
【図４】図１乃至３に示されている吸込みろ過カートリッジの下部部分の部分的に断面の拡大斜視図である。
【図５】図１、図２ａ及び図２ｂに示されている座部部材の平面斜視図である。
【図６】他の実施形態による吸込みろ過カートリッジの下部領域の拡大断面図である。
【図７】吸込みろ過カートリッジの出口開口部の底面斜視図である。
【符号の説明】
【００５９】
１…吸込みろ過カートリッジ、  ２…中央のハウジング部分、  ２ａ…下降流チャンバ、  ３…取付けられたハウジング部分、  ３ａ…上昇流チャンバ、  ３ｂ…底面壁、  ４…接続チャンバ、  ５…接続開口部、  ６…分離壁、  ７…底面壁、  ７’…浸透できる領域、  ７’’…浸透できない領域、  ７ａ…中間の床、  ８…底部グリッド、  ９…下降流挿入体、  １０…入口領域、  １１…円形の壁、  １２…出口スリーブ、  １３…グリッド、  １４…入口開口部、  １５…針、  ２０…出口開口部、  ２１ａ…底面壁、  ２１…出口スリーブ、  ２２…スナップ式のリム、  ２３…フィルムリンク、  ２４…封止用隆起、  ２５…第１の開口部、  ２６…バイパス開口部、  ２７…起立部、  ３０…座部部材、  ３１…ベースプレート、  ３２…位置付け部材、  ３２ａ…センタリング部材、  ３２ｂ…スペーサ、  ３３…接続スリーブ、  ３３ａ…下部部分、  ３３ｂ…上部部分、  ３４…バー、  ３５…円形の肩部、  ３６…入口通路、  ３７…出口開口部、  ５０…円形のスタビライザ、  ５１…円筒状部分、  ５２…カラー、  ５３…第２の開口部、  ５４…閉鎖部材、  ５５…マーキング、  ６０…チャンバ。
【図１】
2008515628.tif 000003
【図２ａ】
2008515628.tif 000004
【図２ｂ】
2008515628.tif 000005
【図３】
2008515628.tif 000006
【図４】
2008515628.tif 000007
【図５】
2008515628.tif 000008
【図６】
2008515628.tif 000009
【図７】
2008515628.tif 000010
【国際調査報告】
2008515628.tif 000011
2008515628.tif 000012
2008515628.tif 000013
2008515628.tif 000014
2008515628.tif 000015
2008515628.tif 000016